(57)【特許請求の範囲】
【請求項１】
整流子モータに電圧を供給するための２つまたはそれ以上の給電端子（＋、−）と、金属の極管状体（１）と、障害除去手段（３ａ、３ｂ、４）とを有しており、
前記極管状体は前記障害除去手段の一部であって、電気的絶縁性のキャップ形接続部材によって一方の端部を閉鎖されており、
少なくとも１つの給電端子は前記極管状体に電気的に接続されている、
整流子モータにおいて、
カップ形遮閉体（８）が深絞り加工された挿入部材として形成されており、該カップ形遮蔽体は前記電気的絶縁性のキャップ形接続部材内に挿入されかつ接続カラー（１１）を有しており、該接続カラーにより前記極管状体と前記カップ形遮閉体とが大きな面積で電気的に接続されている
ことを特徴とする整流子モータ。
【請求項２】
少なくとも１つの給電端子は容量的（６、７）に前記極管状体（１）に接続されている、請求項１記載の整流子モータ。
【請求項３】
２つの給電端子は容量的に相互接続されている、請求項１または２記載の整流子モータ。
【請求項４】
前記カップ形遮閉体（８）は金属の格子として形成されておりかつ前記電気的絶縁性のキャップ形接続部材の内部に一体化されている、請求項１記載の整流子モータ。
【請求項５】
少なくとも１つの給電端子は導電性プラスティックから成る別のキャップ形接続部材を介して前記極管状体（１）に接続されている、請求項１記載の整流子モータ。
【請求項６】
前記カップ形遮閉体（８）は前記キャップ形接続部材の外部に設けられており、低インピーダンスで前記極管状体（１）に接続されている、請求項１記載の整流子モータ。
【請求項７】
少なくとも１つの給電端子にインダクタンス（１７）が設けられている、請求項１から６までのいずれか１項記載の整流子モータ。
【発明の詳細な説明】
【０００１】
【発明の属する技術分野】
本発明は、整流子モータに電圧を供給するための２つまたはそれ以上の給電端子と、金属の極管状体と、障害除去手段を有する整流子モータに関する。
【０００２】
【従来の技術】
整流子モータはコレクタ／ブラシ系での整流過程により頻繁に高周波数障害を発生する。この高周波数障害は（ラジオ）無線受信を妨害することがある。この障害を低減させるために、障害除去手段、例えば障害除去素子の接続または整流子モータを適切な構造で成形することが知られている。特に問題となるのは構造形式が小さく、部分的にプラスティックから成形されており、給電端子（±の電圧を供給する）を有する整流子モータである。これらの端子は金属の極管状体に対して分離されている。
【０００３】
給電端子で生じる障害は、障害除去素子例えば長手方向インダクタンスを線路に設けるか、および／またはコンデンサを端子間に設けることにより低減されることが知られている。ただしこれらの障害除去手段の効果は構成素子の特性や構造スペースの制約により低下する。
【０００４】
ドイツ連邦共和国特許出願公開第２７０２４０４号公報に、障害除去手段を有する整流子モータが記載されている。ここでの障害除去手段は、ブラシ担体プレートの直接近傍に配置されており、かつカーボンブラシへの接続線路（プラス側およびマイナス側）に接続されている障害除去素子を有している。
【０００５】
【発明が解決しようとする課題】
本発明の課題は、障害除去手段を有する整流子モータを提供し、これにより障害除去特性をさらに改善することである。
【０００６】
【課題を解決するための手段】
この課題は本発明により、カップ形遮閉体が深絞り加工された挿入部材として形成されており、該カップ形遮蔽体は前記電気的絶縁性のキャップ形接続部材内に挿入されかつ接続カラーを有しており、該接続カラーにより前記極管状体と前記カップ形遮閉体とが大きな面積で電気的に接続されている構成によって解決される。種々の有利な実施形態は従属請求項に記載されている。
【０００７】
【発明の実施の形態】
本発明によれば有利には、障害除去コンセプトにより極管状体を用いて障害除去特性が著しく改善される。有利な実施形態では、線路を介してマイナス端子が極管状体に導電接続されるか、および／またはプラス端子および／またはマイナス端子が極管状体に容量的に結合される。
【０００８】
障害除去作用を妨害する線路インダクタンス、例えば導電接続によるインダクタンスまたはコンデンサの線路インダクタンスも、本発明の有利な実施形態により著しく低減させることができ、特に＞５０ＭＨｚの領域の高周波数に対して効果を発揮する。
【０００９】
【実施例】
以下に本発明を有利な実施例に基づいて図に関連して説明する。
【００１０】
図１には、金属の極管状体１を有する整流子モータの、正負の給電電圧用の給電端子＋／−が示されている。障害源は参照番号２で概略的に示されている。正の電圧供給用の給電線路に障害除去インダクタンス３ａが存在しており、負の電圧供給用の給電線路に障害除去インダクタンス３ｂが存在している。給電端子は周知の障害除去素子として動作するコンデンサ４を介して接続されている。
【００１１】
本発明の第１の実施例によれば、付加的な障害除去素子５により障害除去作用を著しく高めることができる。この障害除去は選択された給電端子例えばマイナス端子と極管状体１との間を導電接続して行われる。このようにして極管状体１は障害除去コンセプトにおいて利用され、障害除去手段の一部となっている。
【００１２】
図２には本発明の第２の実施例が示されており、ここでは選択された一方の給電端子と極管状体１との間の導電接続に代えてコンデンサ６が接続されており、このコンデンサは選択された給電端子を極管状体１に容量的に接続する。
【００１３】
図３には本発明の第３の実施例が示されており、ここでは第２の実施例とは異なって付加的にコンデンサ７が設けられている。この付加的なコンデンサは他方の給電端子と極管状体１との間に接続されており、そのため２つの給電端子とも極管状体１に容量的に接続されている。
【００１４】
本発明の第４の実施例は図４、図５に示されており、ここでは選択された給電端子例えばマイナス端子と極管状体１との間の接続を高導電性の金属のカップ形遮閉体８により行う。カップ形遮閉体８には冷却剤その他、および外部へ通じる他の端子例えばプラス端子のための開口部９ａ、９ｂが形成されている。付加的な部材（図示せず）により、この給電端子用の開口部は外部へ通じる他の端子に対して絶縁されている。カップ形遮閉体８を介して極管状体に接続されている給電電圧端子は低オームで開口部１０を介してカップ形遮閉体８に接続されている。接続カラー１１により極管状体１への接触接続が行われている。カップ形遮閉体８は選択された給電端子と極管状体１との間を大きな面積で接続し、接続面積が大きいことにより障害除去効果が著しく改善される。
【００１５】
図５には本発明の第４の実施例による障害除去手段の断面図が示されており、ここでは極管状体１内へ障害除去手段がはめ込まれている。この障害除去手段はキャップ形接続部材１２であって電気的絶縁材料から成形されており、極管状体１の端部を閉鎖している。カップ形遮閉体８は挿入部材としてキャップ形接続部材１２の内部に収容されており、開口部９ａ、９ｂ、１０を有する深絞り加工された部材として構成されている。選択された端子例えばマイナス端子は、溶接またははんだ付け接合部１３により開口部１０を通してカップ形遮閉体８に接合されている。カップ形遮閉体８は極管状体１に接続カラー１１により接触している。カップ形遮閉体８の内部にはブラシ支持体１４、ブラシチャンバ１５、および周知の接続素線を有するブラシが設けられている。
【００１６】
別の障害除去素子として障害除去コンデンサ１６が他の給電端子間に接続されている。ブラシ間および他の給電端子に接続された障害除去チョーク１７の形のインダクタンスにより、障害除去作用が著しく改善される。
【００１７】
カップ形遮閉体８は極管状体１とともに電磁的な遮閉スペースを形成する。有利な実施例では、選択された給電端子例えばマイナス端子を直接にカップ形遮閉体の壁に接続し、他方の給電端子例えばプラス端子をフィルタ回路例えばコンデンサを介して低インピーダンスで同様にカップ形遮閉体の壁に接続する。このようにして高周波数障害が大幅に低減される。
【００１８】
有利にはカップ形遮閉体８はキャップ形接続部材１２へ挿入するための挿入部材として形成されており、これにより挿入部材の一部分は一方では選択された給電端子例えばマイナス端子に溶接またははんだ付けその他により直接に接続することができる。また他方ではこの挿入部材の一部分は、整流子モータの組立時に大きな面積で極管状体１に接続することができる。例えば整流子モータにより電磁式燃料ポンプが駆動される場合、接続カラー１１をカップ形遮閉体８の縁部に設けることができ、極管状体１とブラシ支持体１４およびキャップ形接続部材１２とを１つの縁曲げ工程で接続することができる。
【００１９】
別の実施例では（図示せず）、改善された遮閉効果および障害除去効果が、カップ形遮閉体８を金属の格子として構成することにより達成される。この格子はプラスティックから成るキャップ形接続部材１２内へ組み込まれ、これにより選択された給電端子例えばマイナス端子と極管状体１とが極管状体の周囲全体にわたって低インピーダンスで接続される。
【００２０】
別の実施例では（図示せず）、分離されたカップ形遮閉体８を導電性プラスティックから形成されているキャップ形接続部材１２に組み込むことができ、これによりカップ形遮閉体８の遮閉効果が高められる。この場合他方の給電端子例えばプラス端子はキャップ形接続部材に対して分離されていなければならない。
【００２１】
別の実施例では（図示せず）、カップ形遮閉体８をキャップ形接続部材の外部に設けることができ、このカップ形遮閉体８は極管状体に低インピーダンスで接続される。
【００２２】
本発明は、２つの回転方向で駆動される電気モータにも適用することができる。カップ形遮閉体８はこの場合、図２に示されるようにコンデンサを介して一方の給電端子に接続されているか、または図３に示されるように両方の給電端子に接続されている。
【００２３】
以前から知られている電気モータのための障害除去手段に比べて、本発明は障害除去効果が著しく改善されている。特に有利に改善されているのは次の点である。
【００２４】
（１）カップ形遮閉体の遮閉効果
（２）カップ形遮閉体と極管状体との低オームおよび低インピーダンスな接触接続が行われる。これにより障害源と障害除去素子とを内部に有する遮閉スペースが形成される。
【００２５】
（３）選択された給電端子例えばマイナス端子を電流的に極管状体に接続し、他方の給電端子例えばプラス端子を容量的に極管状体に接続する。または２つの給電端子を容量的にカップ形遮閉体を介して極管状体に接続する。
【００２６】
（４）障害除去の大幅な改善（特に５０ＭＨｚから１５０ＭＨｚまでの重要な領域で従来の解決手段に比べて２０ｄＢ以上の改善）
本発明の範囲には上述の実施例の特徴を任意に組み合わせた構成も含まれる。
【図面の簡単な説明】
【図１】本発明の第１の実施例による障害除去手段の概略図である。
【図２】本発明の第２の実施例による障害除去手段の概略図である。
【図３】本発明の第３の実施例による障害除去手段の概略図である。
【図４】本発明の第４の実施例による障害除去手段の概略図である。
【図５】本発明の第４の実施例の断面図である。
【符号の説明】
１  極管状体
２  障害源
３ａ、３ｂ  障害除去インダクタンス
４、６、７  コンデンサ
５  障害除去素子
８  カップ形遮閉体
９ａ、９ｂ、１０  開口部
１１  接続カラー
１２  キャップ形接続部材
１３  溶接またははんだ付け接合部
１４  ブラシ支持体
１５  ブラシチャンバ
１６  障害除去コンデンサ
１７  障害除去チョーク
【図１】
0004253387.tif 000002
【図２】
0004253387.tif 000003
【図３】
0004253387.tif 000004
【図４】
0004253387.tif 000005
【図５】
0004253387.tif 000006